(57)【特許請求の範囲】
【請求項１】
人工地盤としてのコンクリートスラブ上に敷設した防水層の上に、所定の強度を有し、表面に排水用溝が形成された不透水性の発泡合成樹脂板を敷設し、該発泡合成樹脂板の上に客土層からなる土壌を敷設し、該土壌に植物を植栽するようにした植栽用地盤において、前記防水層の上に、発泡合成樹脂板を敷設しない空隙部を形成し、該空隙部に、底部上面に排水用溝を形成し、周面に前記排水用溝に連なるように排水孔を形成するとともに、樹木が植栽された状態で吊り下げることができる吊り下げ強度を有する樹木植栽用のカセット式プランタを、該カセット式プランタの排水孔をカセット式プランタの周囲に敷設された発泡合成樹脂板の表面に形成された排水用溝に接続して、設置するようにしたことを特徴とする植栽用地盤。
【請求項２】
前記客土層の客土として、石炭灰を主体とした人工土壌を用いたことを特徴とする請求項１記載の植栽用地盤。
【請求項３】
客土に、石炭灰４０〜７０容積％、有機材２５〜５０容積％、無機系多孔質材５〜１０容積％を混合した人工土壌を用いたことを特徴とする請求項２記載の植栽用地盤。
【請求項４】
締め固められたときの客土層の湿潤時の密度が、０．６〜１．２ｇ／ｃｍ３であることを特徴とする請求項１、２又は３記載の植栽用地盤。
【発明の詳細な説明】
【０００１】
【発明の属する技術分野】
本発明は、人工地盤上に土壌を敷設する植栽用地盤に関し、特に、押さえ断熱アスファルト防水における断熱層と保護層を不要とし、施工を簡略化するとともに、植栽用人工土壌の厚さの増大を可能とし、良好な植物生育を得ることができる植栽用地盤に関するものである。
【０００２】
【従来の技術】
従来、建築物の屋上やルーフバルコニー等のように、人工地盤がコンクリートスラブであって、その下に居室が設けられるような場合には、人工地盤上に防水及び断熱を目的とした押さえ断熱アスファルト防水が実施されるのが一般的である。
この押さえ断熱アスファルト防水は、図４に示すように、通常は下記のように構成される。
（１）まず、コンクリートスラブ１上に、アスファルト防水シートによる複数の層からなる防水層２が作成される（アスファルト防水）。
（２）そして、この防水層２の上に、断熱材を敷設することによって断熱層６が作成される。
（３）さらに、この防水層２の上に押さえコンクリートの打設による保護層７が形成される。
（４）防水層２の各シートや断熱層６は、熱により熔解させたアスファルト等によってシート間および各層間が接着される。
（５）熱による押さえコンクリートの膨張収縮に対応するため、保護層７には一定間隔で目地が設けられる。
（６）押さえコンクリートの重量は、人工地盤面１ｍ２当たり、１５２ｋｇｆ／ｍ２程度である（厚さ８０ｍｍの場合、日本建築学会・建築物荷重指針・同解説より）。
【０００３】
一方、このような押さえ断熱アスファルト防水の上に植栽を施す場合は、同図に示すように、一般的には、さらに下記のような施工が施される。
（１）保護層７の上に植物根の通過を防止する防根シート８を敷設する。
（２）防根シート８の上に何らかの排水層９を設置する。
（３）排水層９の上に、土壌の通過を防ぐ透水性シート１０を敷設する。
（４）透水性シート１０の上に人工軽量土壌等の客土層１１を敷設する。
（５）上記客土層１１に植物５を植栽する。
【０００４】
【発明が解決しようとする課題】
ところで、押さえ断熱アスファルト防水の施工は大変な手間であり、この簡略化が大きな課題となっていた。
また、この押さえ断熱アスファルト防水を持つ人工地盤上に緑化を行う場合、コンクリートスラブの耐荷重には限度があるので、押さえコンクリートが重い分、緑化設備を軽量化しなければならず、その結果、植栽用に軽量人工土壌を用いても植物生育にとって十分な土壌の厚さを確保しにくく、植物の良好な生育を得るのが困難であった。
【０００５】
また、本来は押さえ断熱アスファルト防水を適用すべき人工地盤に対し、緑化を前提として断熱層及び保護層を作成せず、防水層の上にそのまま緑化を行う方法もあるが、この場合は断熱層がなくなり、植栽用土壌等の断熱性能に頼らざるを得ないことから、断熱効果が不足し、人工地盤下の居室における冷暖房負荷が増大するという問題があった。
【０００６】
本発明は、上記従来の植栽用地盤が有する問題点に鑑み、押さえ断熱アスファルト防水を持つ人工地盤上の緑化を行うに際し、植栽の一部を構成する資材に従来の断熱層と保護層の機能を持たせ、さらにその資材を軽量化することにより、押さえ断熱アスファルト防水における断熱層と保護層を不要とし、施工を簡略化するとともに、植栽用人工土壌の厚さの増大を可能とし、良好な植物生育を得ることができる植栽用地盤を提供することを目的とする。
【０００７】
【課題を解決するための手段】
上記目的を達成するため、本発明の植栽用地盤は、人工地盤としてのコンクリートスラブ上に敷設した防水層の上に、所定の強度を有し、表面に排水用溝が形成された不透水性の発泡合成樹脂板を敷設し、該発泡合成樹脂板の上に客土層からなる土壌を敷設し、該土壌に植物を植栽するようにした植栽用地盤において、前記防水層の上に、発泡合成樹脂板を敷設しない空隙部を形成し、該空隙部に、底部上面に排水用溝を形成し、周面に前記排水用溝に連なるように排水孔を形成するとともに、樹木が植栽された状態で吊り下げることができる吊り下げ強度を有する樹木植栽用のカセット式プランタを、該カセット式プランタの排水孔をカセット式プランタの周囲に敷設された発泡合成樹脂板の表面に形成された排水用溝に接続して、設置するようにしたことを特徴とする。
なお、ここでいう所定の強度とは、客土層の重量と踏圧に耐える程度の強度のことをいう。
【０００８】
この植栽用地盤は、コンクリートスラブ上に敷設した防水層の上に、所定の強度を有し、表面に排水用溝が形成された不透水性の発泡合成樹脂板を敷設し、発泡合成樹脂板の上に客土層を設けることから、押さえ断熱アスファルト防水における断熱層と保護層を不要とし、施工を簡略化するとともに、客土層の厚さを増大して良好な植物生育を得ることができる。
さらに、樹木が植栽された状態で吊り下げることができる吊り下げ強度を有する樹木植栽用のカセット式プランタを、該カセット式プランタの排水孔をカセット式プランタの周囲に敷設された発泡合成樹脂板の表面に形成された排水用溝に接続して、設置するようにしたことにより、撤去や運搬が困難な樹木等の植物でも容易に移動させることができ、また、このカセット式プランタを用いることにより樹木を植栽する場合でも防根シートを不要とすることができる。
【０００９】
この場合において、前記客土層の客土として、石炭灰を主体とした人工土壌を用いることができる。
【００１０】
これにより、客土層を軽量化し、その厚さを増大させることができるとともに、人の通行や運動による踏圧や灌水等による圧縮を受けても、客土層が締め固められて固結することがなく、植栽用地盤として必要な性能を長期間に亘って安定して維持することができる。
【００１１】
この場合、客土に、石炭灰４０〜７０容積％、有機材２５〜５０容積％、無機系多孔質材５〜１０容積％を混合した人工土壌を用いることができる。
【００１２】
これにより、客土層を軽量化し、その厚さをさらに増大させることができる。
【００１３】
また、締め固められたときの客土層の湿潤時の密度が、０．６〜１．２ｇ／ｃｍ３となるようにすることができる。
【００１４】
これにより、植栽用地盤として必要な性能を長期間に亘って安定して維持することができる。
【００１５】
【発明の実施の形態】
以下、本発明の植栽用地盤の実施の形態を図面に基づいて説明する。
【００１６】
図１に、本発明の植栽用地盤の一実施例を示す。
この植栽用地盤は、人工地盤上に土壌を敷設し、土壌に植物を植栽する植栽用地盤において、コンクリートスラブ１上に敷設した防水層２の上に、所定の強度を有し、表面に排水用溝３ａが形成された不透水性の発泡合成樹脂板３を敷設し、発泡合成樹脂板３の上に客土層４を設けている。
【００１７】
すなわち、本実施例では、発泡合成樹脂板３によって、従来の人工植栽用地盤における排水層、断熱層、防水保護層のそれぞれの役割を担持するようにしている。
発泡合成樹脂板３は、一定の形状（特に限定されるものではないが、例えば、１ｍ四方の板状）に成型され、敷設施工が容易な排水ユニットとされる。この場合、発泡合成樹脂板３同士の接合部３ｂは、接着剤やシール剤等により透水しないようにシールされる。
【００１８】
この発泡合成樹脂板３は、高い断熱性能と防水層２のアスファルトを保護する性能に足り、しかも客土層４の土壌及び人等が載荷されても破損しない強度を有し、なおかつ吸水性が微少で軽量な特性を有するものを用いるようにする。
上記特性を有する材料としては、発泡スチロール等の圧縮に対し高強度の発泡合成樹脂が適当である。
【００１９】
発泡合成樹脂板３の形状の例を図１（ｂ）に示す。
発泡合成樹脂板３は、特に限定されるものではないが、上面側のみ、あるいは上下両面に格子状等に排水用溝３ａを設けるようにした、例えば、厚さ３０〜１００ｍｍで１ｍ四方の発泡スチロール製の板とする。
この場合、この発泡合成樹脂板３の上面側排水用溝３ａの一部を深くして保水機能を持たせたり、隣接する発泡合成樹脂板３と接合しやすくするため、継ぎ手部分（図示省略）を設けることができる。
さらに、例えば、排水用溝３ａに沿って、周面に多数の小孔を形成した管部材（図示省略）を敷設し、この管部材を介して、灌水、液肥、空気等の供給や排水を行うようにすることができる。
【００２０】
その結果、本実施例の植栽用地盤における層構造は下記のようになる。
（１）コンクリートスラブ１の上にアスファルト防水シートを敷設することによって防水層２を作成する。
（２）防水層２の上に防根シート（図示省略）を敷設する。なお、植生が草本のみの場合は、この防根シートを省略することができ、また、発泡合成樹脂板３に防根シートの機能を持たせるようにすることもできる。
（３）防根シートの上に発泡合成樹脂板３を敷設することにより、断熱層と防水保護層を兼ねた排水層を作成する。
（４）発泡合成樹脂板３の上に客土層４として人工軽量土壌を敷設する。
（５）客土層４に植物５を植栽する。
【００２１】
この場合、客土層４の客土として使用する人工軽量土壌には、石炭灰を主体とした人工土壌を用いることができる。
この人工土壌は、石炭灰を４０〜７０容積％、ピートモスやバーク堆肥等の有機材を２５〜５０容積％、鹿沼土や軽石等の無機系多孔質材を５〜１０容積％の割合で混合したものからなり、この人工土壌を用いることにより、客土層４を軽量化し、その厚さをさらに増大させることができる。
また、この人工土壌に、ゼオライト等の保肥材を添加することにより、保肥性を向上したり、凝集剤等を添加して、人工土壌中の有機物が分解生成された腐蝕物質との相乗効果により団粒化を促進することができる。
【００２２】
ところで、この客土層４の客土として使用する人工軽量土壌には、締め固められたときの客土層４の湿潤時の密度が、０．６〜１．２ｇ／ｃｍ３となるものを使用することが好ましい。
これにより、客土層４について、植栽用地盤として必要な性能を長期間に亘って安定して維持することができるものとなる。
【００２３】
ここで、締め固めの条件としては、ＪＩＳ Ａ １２１０の締め固め試験器を用い、次の条件で締め固める。
［締め固め条件］
・試験体：ｐＦ（土壌から水を吸引するのに必要な力を水柱の高さ（ｃｍ）で表し、それを常用対数値に表したもの）１．８に調整した（加圧盤を用い、試料の詰め込み時には突き固めを行わず調整する。）一層１７．５ｃｍ
・使用するモールド：１５ｃｍモールド（４００ｍｌコアを採取）
・使用するランマーの重量：２．５ｋｇ
・突き固め回数：１０回
・ランマーの落下高さ：１０ｃｍ
【００２４】
また、客土層４の湿潤時の密度は、次の測定方法による。
［測定方法］
・上記締め固め条件で突き固めたもののｐＦ１．５における比重を計測する。
【００２５】
なお、上記締め固め条件は、客土を行った後、植栽工事による土壌の圧縮状態を想定したものであるが、さらに、植栽工事後に人の通行や運動による踏圧や灌水等による圧縮を受けた場合を想定し、突き固め回数を数倍、具体的には、５０回程度まで増大させた場合であっても、客土層４の湿潤時の密度が、０．６〜１．２ｇ／ｃｍ３となるものを使用することがより好ましい。
【００２６】
このように、本実施例の植栽用地盤では、コンクリートスラブ１上に敷設した防水層２の上に、所定の強度を有し、表面に排水用溝３ａが形成された不透水性の発泡合成樹脂板３を敷設し、発泡合成樹脂板３の上に客土層４を設けることから、押さえ断熱アスファルト防水における断熱層と保護層を不要とし、施工を簡略化することができる。
この場合、断熱機能を兼ねた発泡合成樹脂板３及び客土層４の植栽用土壌により、高い断熱性能を発揮することができる。
【００２７】
また、植物の生育にとって土壌の厚さは、植物が利用可能な水の量等の点からも厚い方が好ましいが、人工地盤上は耐荷重に限度があるため、従来では、植物にとっては必要最低限の土壌の厚さしか確保できていなかった。
これに対し、本実施例では、従来の保護層が不要となるので、その分だけ植栽用土壌層の厚さを厚くすることができ、良好な植物生育を期待することができる。
そして、客土層の客土として、石炭灰を主体とした人工土壌を用いることにより、客土層を軽量化し、その厚さをさらに増大させることができるとともに、人の通行や運動による踏圧や灌水等による圧縮を受けても、締め固められて固結することがなく、植栽用地盤として必要な性能を長期間に亘って安定して維持することができる。
【００２８】
次に、本発明の植栽用地盤において、樹木を植栽する場合の実施例を説明する。
屋上等のアスファルト防水は、一般に施工後１５年程度で改修することが必要とされており、人工地盤上を緑化した場合、この防水層の改修時には、緑化設備を撤去する必要がある。
その際、芝等は撤去が比較的容易であるが、樹木の撤去や運搬は困難である。この樹木の撤去や運搬を容易にするために、本実施例では図２に示す構造を採用している。
【００２９】
すなわち、この植栽用地盤は、防水層２上で発泡合成樹脂板３と客土層４とを敷設しない空隙部１２の防水層２上に、必要に応じて、不織布等からなる防水層２の保護シート１３を敷設するとともに、所定の吊り下げ強度を有するカセット式プランタ１４を設置し、カセット式プランタ１４の排水孔１４ｂを発泡合成樹脂板３の排水用溝３ａに接続するようにしている。
【００３０】
カセット式プランタ１４は、比較的軽量かつ高強度な素材、例えば、合成樹脂やポーラスコンクリート等で作成され、図２に示すように、底部上面に排水用溝１４ａを形成するとともに、周面に排水用溝１４ａに連なるように排水孔１４ｂを形成し、余分な水分が排水されるようになっている。
このカセット式プランタ１４は、側壁天端等に玉がけを可能にする、例えば、吊り下げ用金具１４ｃを装備し、カセット式プランタ１４内に客土及び樹木等の植物Ｔが入った状態で、クレーン等によりそのまま吊り下げることができ、これにより、樹木等の植物Ｔの運搬、設置、撤去等を容易に行うことができる。
そのためには、カセット式プランタ１４が所定の強度を持つ必要があるが、例えば、鉄筋ポーラスコンクリートのように、鉄筋等の引っ張り強度の高い物質を埋め込み、吊り下げ用金具１４ｃをこの鉄筋棒に固定するようにする。
また、カセット式プランタ１４は、設置場所の形状や植栽する樹木等の植物Ｔの種類等に応じて、任意の形状に設計することができる。
【００３１】
なお、カセット式プランタ１４には、主に、樹木等の植物Ｔが植栽されるが、これに限定されるものではなく、例えば、発泡合成樹脂板３を敷設した箇所に植栽される草本等の植物Ｇと同様のものを植栽することもできる。
また、本実施例においては、発泡合成樹脂板３とカセット式プランタ１４を併用するようにしたが、図３の参考例に示すように、カセット式プランタ１４のみで植栽用地盤を構築することもできる。
【００３２】
また、このカセット式プランタ１４周囲の植栽用地盤は、前述のように、コンクリートスラブ１上に敷設した防水層２の上に、発泡合成樹脂板３と客土層４を敷設した構成であるが、カセット式プランタ１４の排水孔１４ｂからの排水が発泡合成樹脂板３の排水用溝３ａに流入するように、この排水孔１４ｂの高さ及び水平位置が発泡合成樹脂板３の排水用溝３ａに合わせて設定されている。
この場合、カセット式プランタ１４と周囲の発泡合成樹脂板３との継ぎ目は、透水しないようにシール状態に接合する。
また、カセット式プランタ１４の下には、防水層２を傷つけないために、不織布等からなる保護シート１３を敷設する。
なお、カセット式プランタ１４の客土層４として使用する人工軽量土壌には、前述の石炭灰を主体とした人工土壌を用いることができ、また、この人工土壌の上には、乾燥を防止するマルチング材１５等を配設することができる。
【００３３】
このように、カセット式プランタ１４を植栽用地盤の適宜位置に配設することにより、撤去や運搬が困難な樹木を容易に移動させ、また、新たに設置することができ、また、このカセット式プランタ１４を用いることで、樹木等の植物Ｔを植栽する場合でも防根シートを不要とすることができ、さらに、病害が発生した場合等には、一部のカセット式プランタ１４のみを撤去、更新することもできる。
【００３４】
以上、本発明の植栽用地盤について、複数の実施例に基づいて説明したが、本発明は上記実施例に記載した構成に限定されるものではなく、その趣旨を逸脱しない範囲において適宜その構成を変更することができるものである。
【００３５】
【発明の効果】
本発明の植栽用地盤によれば、コンクリートスラブ上に敷設した防水層の上に、所定の強度を有し、表面に排水用溝が形成された不透水性の発泡合成樹脂板を敷設し、発泡合成樹脂板の上に客土層を設けることから、押さえ断熱アスファルト防水における断熱層と保護層を不要とし、施工を簡略化するとともに、客土層の厚さを増大して良好な植物生育を得ることができる。
さらに、樹木が植栽された状態で吊り下げることができる吊り下げ強度を有する樹木植栽用のカセット式プランタを、該カセット式プランタの排水孔をカセット式プランタの周囲に敷設された発泡合成樹脂板の表面に形成された排水用溝に接続して、設置するようにしたことにより、撤去や運搬が困難な樹木等の植物でも容易に移動させることができ、また、このカセット式プランタを用いることにより樹木を植栽する場合でも防根シートを不要とすることができる。
【００３６】
また、客土層の客土として、石炭灰を主体とした人工土壌を用いることにより、客土層を軽量化し、その厚さを増大させることができるとともに、人の通行や運動による踏圧や灌水等による圧縮を受けても、客土層が締め固められて固結することがなく、植栽用地盤として必要な性能を長期間に亘って安定して維持することができる。
【００３７】
この場合、客土に、石炭灰４０〜７０容積％、有機材２５〜５０容積％、無機系多孔質材５〜１０容積％を混合した人工土壌を用いることにより、客土層を軽量化し、その厚さをさらに増大させることができる。
【００３８】
また、締め固められたときの客土層の湿潤時の密度が、０．６〜１．２ｇ／ｃｍ３となるようにすることにより、植栽用地盤として必要な性能を長期間に亘って安定して維持することができる。
【図面の簡単な説明】
【図１】  本発明の植栽用地盤の一実施例を示し、（ａ）はその断面図、（ｂ）は発泡合成樹脂板を示す斜視図である。
【図２】  本発明の植栽用地盤の一実施例を示し、（ａ）はカセット式プランタの斜視図、（ｂ）は施工後の状態を示す断面図である。
【図３】  植栽用地盤の参考例の施工後の状態を示す断面図である。
【図４】  従来の植栽用地盤を示す断面図である。
【符号の説明】
１    コンクリートスラブ
２    防水層
３    発泡合成樹脂板
３ａ  排水用溝
３ｂ  接合部
４    客土層
５    植物
６    断熱層
７    保護層
８    防根シート
９    排水層
１０  透水性シート
１１  客土層
１２  空隙部
１３  保護シート
１４  カセット式プランタ
１４ａ  排水用溝
１４ｂ  排水孔
１４ｃ  吊り下げ用金具
１５  マルチング材
Ｔ    植物
Ｇ    植物
【図１】
0003781631.tif 000002
【図２】
0003781631.tif 000003
【図３】
0003781631.tif 000004
【図４】
0003781631.tif 000005